(57)【要約】【課題】手を水中に入れることなく、能率的に米を研ぐことのできる用具を提供する。【解決手段】複数本の湾曲線材にてかご状の攪拌部を形成するとともに、該線材端部に柄を設け、攪拌部の上部から下部にわたって複数個の連結したリングを取り付けたことを特徴とする。【選択図】      図３
2006289018.tif 000002
【特許請求の範囲】
【請求項１】
複数本の湾曲線材にてかご状の攪拌部を形成するとともに、該線材端部に柄を設け、攪拌部の上部から下部にわたって複数個の連結したリングを取り付けたことを特徴とする米研ぎ器。
【発明の詳細な説明】
【技術分野】
【０００１】  この発明は、米研ぎ時において手で直接に米に触れることなく、能率よく米を研ぐことのできる米研ぎ器に関する。
【背景技術】
【０００２】  従来より、米を研ぐ場合には、手で直に研ぐ方法が一般的であり、本発明にて示すように、米研ぎ専用の用具は見当たらない。
【発明の開示】
【発明が解決しようとする課題】
【０００３】  米は日本人にとっては主食であり、米を食するときに欠かせないのが米研ぎである。
この米研ぎは鍋や釜その他の容器内に適量の生米と水を入れ、手で米を押し回すように攪拌して行われる。しかし、冬季などは水温が低いため、その冷たさが手に伝わって米研ぎに対する心理的な抵抗感が生まれるが、これを我慢して米研ぎを行っているのが現状である。本発明は、以上のような従来からの米研ぎ手段に関わる課題を解決するために発明されたもので、手を水中に入れることなく能率よく米を研ぐことのできる新規かつ有用なる用具を提供することを目的として開発されたものである。
【課題を解決するための手段】
【０００４】  課題を解決する手段として本発明は、かご状の攪拌部に連結したリングを取り付けてその主要部を構成した。すなわち、複数本の湾曲線材にてかご状の攪拌部を形成するとともに、該線材端部に柄を設け、攪拌部の上部から下部にわたって複数個の連結したリングを取り付ける。本発明は以上の構成よりなる米研ぎ器である。
【発明の効果】
【０００５】  本発明によれば、湾曲線材による攪拌部に連結リングを設けたので、従来のように手を水中に入れて米を研ぐことなく、柄を持って攪拌部を水中に入れて回すだけで能率よく米を研ぐことのできる有用なる用具を提供することができる。なお、米研ぎ以外に泡立て器としての利用も可能である。
【発明を実施するための最良の形態】
【０００６】  以下、本発明の実施形態について説明する。
図において、１は断面楕円状の合成樹脂による柄で、その上部には斜方の切除部２が形成される。３は湾曲線材で、４本の鋼線を湾曲させるとともに角度を違えて束ねて、かご状の略楕円体による攪拌部３ａを形成している。この湾曲線材の端部は一つにまとめられ、柄の内部に固着される。４は単体リングで、所定長の鋼線を環状に形成したものである。
この単体リングは二巻きに巻かれるが、側面視において巻き端が対称の位置にある。
従って、鋼線の弾力により、一方の巻き端から他のリングを挿入するとこの巻き端が少し開くので、そのままスライドさせて双方のリングを連結することが可能である。
この手法にて９個の単体リングを連結させることにより、連結リング５が形成される。
６は単体リングと同様形状であるとともにその外径をやや大きく形成してなる上部保持環、７は該上部保持環と同様構成の下部保持環で、上部保持環は湾曲線材の束ねた部分をその内に位置させて配置され、下部保持環は湾曲線材下端下方近傍に位置する。
前述の連結リングは、その一端は上部保持環に連結され、他端は下部保持環に連結される。また、この連結リングの上から２番目のリング（第２リング）はその内に前記湾曲線材を位置させ、第３リングはその内に湾曲線材を位置させない。
このように上から数えて偶数番目のリングはその内に湾曲線材を位置させるが、奇数番目のリングは位置させない。このようにして連結リングが湾曲線材に取り付けられる。
この連結リングは図４に示すように、各湾曲線材に底面視略四等配に設けられる。
８は補助環で、上部保持環よりやや外径を大きくした同様構成の環体で、その内に湾曲線材を位置させて、下部保持環に近接して設けられる。【０００７】  本発明の使用に際しては、まず適当な容器に適量の米と水を入れる。
次ぎに、本発明品の柄を手に持ち、攪拌部を水中に入れて容器内壁に沿って丸く円を画くように動かす。これを続けることにより、米は攪拌され、米に付着しているダストや不純物が米から離脱して水中に出るので、水を取り替えて同様作業を行う。
これを数回繰り返すことにより、米研ぎが完了する。
図１に示すのは市販の泡立て器であるが、このままの状態では米を攪拌したときの抵抗が少なく、十分な米研ぎができない。米の形状は曲面にて形成され、またこの泡立て器を構成する線材断面は円形である。従って、攪拌時には米の十分なる移動ができず、上述の結果となる。これに対し本発明は、複数本の連結リングを湾曲線材に取り付け、またこの連結リングは一つおきに湾曲線材を内に位置させている。そのため、攪拌時は適当な抵抗とともに米の移動効果が発揮される。この攪拌は円を描くようになされるが、その遠心力にて連結リングの一部は一定の制限のもとに外に向かって移動し、米に対する影響範囲を広げる効果がある。
以上のことにより、米に対する十分な移動効果が生まれるとともに、各リングを付加したことによる米への接触頻度が高められる。また、本実施形態では補助環を攪拌部内に設けており、より一層の攪拌効果を得ることができる。【０００８】  本発明について以上説明したが、本発明は湾曲線材による攪拌部に複数本の連結リングを取り付けたところにその特徴がある。既述の従来の泡立て器にはこの連結リングがないため、十分な攪拌効果がなく、米研ぎには不適当なものであった。
しかるに本発明は使用時において適宜な抵抗感が得られるとともに、米の移動効果が発生し、米研ぎに適したものとなったのである。実施形態では４本の連結リングを用いたが、これは実験の結果得られたもので、連結リングが多すぎると全体重量が増えて作業時の疲労が大となり、少なすぎると攪拌効果が減少する。３合の米に対して、手で米を研ぐときは１０回程度水を入れ替える必要があるが、本品使用時は６〜７回程度でよく、米研ぎ効果が実験により確認されている。なお、切除部は不使用時にフック等に引っ掛けて保管するためのものであり、本発明品は米研ぎ以外に、通常の泡立て器としての使用も可能である。なお、図３では図面の煩雑を避けるために、前方の２本の連結リングのみを図示した。
また、図３および図４において、連結リングおよび下部保持環は単円状に簡略表現した。
以上のごとく、本発明により容易かつ能率的に米を研ぐことのできる用具を得ることができる。
【図面の簡単な説明】
【０００９】
【図１】  市販品の正面図
【図２】  市販品の底面図
【図３】  本発明の正面図（連結リングは前方２個所のみ表現）
【図４】  本発明の底面図（一部略）
【図５】  本発明に使用する単体リングの拡大正面図
【図６】  本発明に使用する単体リングの拡大左側面図
【図７】  本発明に使用する連結リングの正面図
【符号の説明】
【００１０】  １  柄
２  切除部
３  湾曲線材
３ａ  攪拌部
４  単体リング
５  連結リング
６  上部保持環
７  下部保持環
８  補助環
【図１】
2006289018.tif 000003
【図２】
2006289018.tif 000004
【図３】
2006289018.tif 000005
【図４】
2006289018.tif 000006
【図５】
2006289018.tif 000007
【図６】
2006289018.tif 000008
【図７】
2006289018.tif 000009